(57)【要約】【課題】装着されるカードと異なる別のカード用のコンタクト端子との干渉を防止しつつ、装着されるカードを適切な位置に装着すること。【解決手段】カードＡを装着した状態でカード用コネクタに装着されるカード用アダプタ１０であって、カード用コネクタに装着されるカードＡと異なる別のカードＢを案内するガイド部材により案内され、カードＢ用のコンタクト端子と接触しないアダプタ本体部１０ａと、このアダプタ本体部１０ａに設けられ、カード用コネクタに対する挿入方向の前端部を突出させた状態でカードＡを保持する保持部１３とを具備することを特徴とする。【選択図】図６
2009181790.tif 000002
【特許請求の範囲】
【請求項１】
カードを装着した状態でカード用コネクタに装着されるカード用アダプタであって、
前記カード用コネクタに装着される前記カードと異なる別のカードを案内するガイド部材により案内され、当該別のカード用のコンタクト端子と接触しないアダプタ本体部と、前記アダプタ本体部に設けられ、前記カード用コネクタに対する挿入方向の前端部を突出させた状態で前記カードを保持する保持部とを具備することを特徴とするカード用アダプタ。
【請求項２】
前記保持部に、前記カードの一部が前記別のカードの外形寸法から上方側に突出する状態で前記カードを収容する収容部を設けたことを特徴とする請求項１記載のカード用アダプタ。
【請求項３】
前記アダプタ本体部に、前記カード用コネクタにおける前記別のカード用のコンタクト端子を収容する凹部を設けたことを特徴とする請求項１又は請求項２記載のカード用アダプタ。
【請求項４】
前記保持部に、前記カードに設けられた凹部と係合する係合片を設けたことを特徴とする請求項１から請求項３のいずれかに記載のカード用アダプタ。
【請求項５】
前記保持部に、前記カードの挿入方向の後端部に設けられた凸部と当接する当接片を設けたことを特徴とする請求項１から請求項４のいずれかに記載のカード用アダプタ。
【請求項６】
前記保持部に、前記カードの上面を保持する保持片を設けたことを特徴とする請求項１から請求項５のいずれかに記載のカード用アダプタ。
【請求項７】
前記別のカードのコンタクト端子がピン形状を有することを特徴とする請求項１から請求項６のいずれかに記載のカード用アダプタ。
【発明の詳細な説明】
【技術分野】
【０００１】
本発明は、カード用アダプタに関し、特に、カードを装着した状態でカード用コネクタに装着可能なカード用アダプタに関する。
【背景技術】
【０００２】
従来、カードを装着した状態でカード用コネクタに装着可能なカード用アダプタが知られている。例えば、特許文献１記載のカード用アダプタにおいては、標準化されているサイズのカード（標準カード）よりも小さな外形寸法を有するカードを、標準カードのサイズに変換するカード用アダプタが提案されている。
【特許文献１】特開平６−３１８３９０号公報
【発明の開示】
【発明が解決しようとする課題】
【０００３】
ところで、現在、このようなカード用アダプタに装着されるカードのサイズは多岐に亘っている。このため、例えば、一方のカード（第１カード）のサイズに包含されるサイズの他方のカード（第２カード）を、第２カードを第１カードのサイズに変換するアダプタに装着し、当該アダプタをカード用コネクタに装着する場合が考えられる。
【０００４】
しかしながら、このように第２カードをアダプタに装着してカード用コネクタに装着する場合には、カード用コネクタに設けられた第１カード用のコンタクト端子にアダプタが接触し、第２カードを適切な位置に装着することができない事態や、第１カード用のコンタクト端子を損傷させる事態を引き起こす場合がある。
【０００５】
例えば、このような事態は、第１カード用のコンタクト端子を第１カード用の装着空間内で移動（退避）させることができない場合（例えば、第１カード用のコンタクト端子がピン形状を有する場合）に発生する。
【０００６】
本発明はかかる問題点に鑑みてなされたものであり、装着されるカードと異なる別のカード用のコンタクト端子との干渉を防止しつつ、装着されるカードを適切な位置に装着することができるカード用アダプタを提供することを目的とする。
【課題を解決するための手段】
【０００７】
本発明のカード用アダプタは、カードを装着した状態でカード用コネクタに装着されるカード用アダプタであって、前記カード用コネクタに装着される前記カードと異なる別のカードを案内するガイド部材により案内され、当該別のカード用のコンタクト端子と接触しないアダプタ本体部と、前記アダプタ本体部に設けられ、前記カード用コネクタに対する挿入方向の前端部を突出させた状態で前記カードを保持する保持部とを具備することを特徴とする。
【０００８】
上記カード用アダプタによれば、カード用コネクタに装着される別のカード用のコンタクト端子に接触しないアダプタ本体部において、カード用コネクタに対する挿入方向の前端部を突出させた状態でカードが保持されることから、別のカード用のコンタクト端子と接触することなく、装着されるカードの前端部のみを別のカードの前端部よりもカード用コネクタの内部側に配置することができるので、別のカード用のコンタクト端子との干渉を防止しつつ、装着されるカードを適切な位置に装着することが可能となる。
【０００９】
上記カード用アダプタにおいては、前記保持部に、前記カードの一部が前記別のカードの外形寸法から上方側に突出する状態で前記カードを収容する収容部を設けることが好ましい。この場合には、カードの一部が別のカードの外形寸法から上方側に突出した状態で収容部に収容されることから、カード用コネクタに設けられた別のカード用のストッパ部材等との干渉を防止すること可能となる。
【００１０】
また、上記カード用アダプタにおいては、前記アダプタ本体部に、前記カード用コネクタにおける前記別のカード用のコンタクト端子を収容する凹部を設けることが好ましい。この場合には、別のカード用のコンタクト端子が凹部に収容されることから、確実に別のカード用のコンタクト端子との干渉を防止することが可能となる。
【００１１】
さらに、上記カード用アダプタにおいては、前記保持部に、前記カードに設けられた凹部と係合する係合片を設けることが好ましい。この場合には、係合片をカードに設けられた凹部に係合させることができるので、カード用アダプタからカードが抜けるのを防止することが可能となる。
【００１２】
さらに、上記カード用アダプタにおいては、前記保持部に、前記カードの挿入方向の後端部に設けられた凸部と当接する当接片を設けることが好ましい。この場合には、当接片にカードの後端部に設けられた凸部を当接させることにより、カード用アダプタにおける当該カードの位置決めを行うことが可能となる。
【００１３】
さらに、上記カード用アダプタにおいては、前記保持部に、前記カードの上面を保持する保持片を設けることが好ましい。この場合には、保持片によりカードの上面を保持することができるので、カード用アダプタに装着されたカードの上方側への移動を規制することが可能となる。
【００１４】
例えば、上記カード用アダプタは、前記別のカードのコンタクト端子がピン形状を有する場合に好適である。すなわち、別のカードのコンタクト端子がピン形状を有する場合には、当該コンタクト端子を移動（退避）させることが困難である。このような場合においても、上記カード用アダプタであれば、当該ピン形状のコンタクト端子に接触することなく、装着されるカードをカード用コネクタの内部側に配置することができるので、ピン形状のコンタクト端子との干渉を防止しつつ、装着されるカードを適切な位置に装着することが可能となる。
【発明の効果】
【００１５】
本発明によれば、カード用コネクタに装着される別のカード用のコンタクト端子に接触しないアダプタ本体部において、カード用コネクタに対する挿入方向の前端部を突出させた状態でカードが保持されることから、別のカード用のコンタクト端子と接触することなく、装着されるカードの前端部のみを別のカードの前端部よりもカード用コネクタの内部側に配置することができるので、別のカード用のコンタクト端子との干渉を防止しつつ、装着されるカードを適切な位置に装着することが可能となる。
【発明を実施するための最良の形態】
【００１６】
以下、本発明の一実施の形態について添付図面を参照して詳細に説明する。本実施の形態に係るカード用アダプタ（以下、単に「アダプタ」という）１０は、カードを装着した状態でカード用コネクタ（以下、単に「コネクタ」という）に装着されるものであって、装着されるカードと異なる別のカード用のコンタクト端子との干渉を防止しつつ、適切な位置に装着されるカードを装着するものである。ここで、本実施の形態に係るアダプタ１０の構成を説明する前に、アダプタ１０に装着されるカードＡと、アダプタ１０で干渉が防止されるコンタクト端子を使用するカードＢの構成について説明する。
【００１７】
図１（ａ）は、カードＡを挿入方向の後方側から示した斜視図であり、同図（ｂ）は、カードＡの前面図である。図２（ａ）、（ｂ）及び（ｃ）は、それぞれカードＡの上面図、側面図及び下面図である。図３（ａ）は、カードＢを挿入方向の後方側から示した斜視図であり、同図（ｂ）は、カードＢの前面図である。なお、図２（ｂ）においては、カードＡを右方側から示した側面図を示している。
【００１８】
図１（ａ）に示すように、カードＡは、挿入方向に沿った長さ方向の寸法がＡ１であり、幅方向の寸法がＡ２であり、厚さ方向の寸法がＡ３に設定されている。カードＡの側方側の端部上面には、段差部Ａ４が設けられている（図２（ａ）、（ｂ）参照）。この段差部Ａ４には、左右に一対の凹部Ａ５が形成されている。また、カードＡの後端部には、カードＡをアダプタ１０から抜き取る際に利用される摘み部Ａ６が設けられている。
【００１９】
カードＡの側方側の端部下面には、段差部Ａ７が設けられている（図２（ｂ）、（ｃ）参照）。この段差部Ａ７の後端部には、後述するアダプタ１０のガイド片１４に当接する凸部としての当接部Ａ８が設けられている。この当接部Ａ８がアダプタ１０のガイド片１４に当接することにより、アダプタ１０におけるカードＡの位置決めが可能となっている。カードＡの前面には、図１（ｂ）に示すように、凹部Ａ９が形成されている。この凹部Ａ９の内側の上面には、後述するカードＡ用コンタクト２０１と接触し、信号を送受信するための複数の接触パッド（不図示）が設けられている。
【００２０】
一方、図３（ａ）に示すように、カードＢは、長さ方向の寸法がカードＡのよりも短いＢ１であり、幅方向の寸法がカードＡのＡ２よりも長いＢ２であり、厚さ方向の寸法がカードＡのＡ３よりも厚いＢ３に設定されている。カードＢの側方側の端部には、段差部Ｂ４が設けられている。また、カードＢの側面には、前方側から一定長さの溝Ｂ５が形成されている。この溝Ｂ５には、カードＢがコネクタ１に挿入される際、後述するコンタクトハウジング２の係合片２１０を受け入れる。カードＢの前面には、図３（ｂ）に示すように、後述するカードＢ用コンタクト２０２を収容する複数の収容穴Ｂ６が設けられている。
【００２１】
本実施の形態に係るアダプタ１０は、上述したカードＡが装着された状態でコネクタに装着される。ここで、本実施の形態に係るアダプタ１０の構成、並びに、アダプタ１０におけるカードＡが装着された状態について説明する。図４（ａ）は、アダプタ１０を挿入方向の後方側から示した斜視図であり、同図（ｂ）は、アダプタ１０の前面図である。図５（ａ）、（ｂ）及び（ｃ）は、それぞれアダプタ１０の上面図、側面図及び下面図である。図６（ａ）は、カードＡが装着されたアダプタ１０を後方側から示した斜視図であり、同図（ｂ）は、カードＡが装着されたアダプタ１０の前面図である。
【００２２】
アダプタ１０は、その外形において、カードＢと同一の寸法に設定され、その外面でカードＡをコネクタに装着する際のガイド部として機能するアダプタ本体部１０ａを備えている。アダプタ本体部１０ａは、図４（ａ）に示すように、挿入方向の長さ方向の寸法がカードＢのＢ１と同一であり、幅方向の寸法がカードＢのＢ２と同一であり、厚さ方向の寸法がカードＢのＢ３と同一に設定されている。アダプタ本体部１０ａの側方側の端部には、カードＢの段差部Ｂ４と同一形状の段差部１１が設けられている（図５（ａ）、（ｂ）参照）。また、アダプタ本体部１０ａの側面には、カードＢの溝Ｂ５と同一形状の溝１２が形成されている（図５（ｂ）参照）。溝１２は、カードＢの溝Ｂ５と同様に、後述するコンタクトハウジング２の係合片２１０を受け入れる。
【００２３】
アダプタ本体部１０ａの上面であって中央部分には、カードＡを収容する収容部１３が設けられている。この収容部１３は、カードＡを保持する保持部の一部として機能する。収容部１３は、アダプタ本体部１０ａの上面よりも低くなっている。この収容部１３の側端部には、カードＡの段差部Ａ７を下方側から支持するガイド片１４が挿入方向に沿って複数設けられている（なお、図４（ａ）において右方側のガイド片１４は不図示、図５（ａ）参照）。なお、最も後方側に位置するガイド片１４の後端部には、アダプタ１０に装着されたカードＡの当接部Ａ８が当接するように構成されている。この最も後方側のガイド片１４は、カードＡを保持する保持部の一部として機能する当接片を構成する。
【００２４】
収容部１３の側方側端部近傍には、装着されたカードＡの上面を保持する複数の保持片１５が挿入方向に沿って設けられている。これらの保持片１５は、カードＡを保持する保持部の一部として機能する。これらの保持片１５は、図４（ｂ）に示すように、ガイド片１４の上面と対向する保持面を有し、ガイド片１４の上面とこの保持面とでカードＡの側端部を上下方向から保持するように構成されている。また、最も前方側の保持片１５の前方側には、一対の凹部１６が形成されている。この凹部１６には、アダプタ１０に装着されたカードＡの凹部Ａ５に係合する板ばね１７が取り付けられている。この板ばね１７は、カードＡを保持する保持部の一部として機能する係合片を構成する。
【００２５】
また、アダプタ本体部１０ａの前面には、図４（ｂ）に示すように、凹部１８が形成されている（図５（ｃ）参照）。この凹部１８は、カードＡが装着された状態のアダプタ１０がコネクタに挿入される際、後述するカードＢ用コンタクト２０２を収容するように構成されている。なお、アダプタ本体部１０ａの後方側の端面には、装着されたカードＡを取り外し易くするための凹部１９が形成されている（図５（ａ）、（ｃ）参照）。
【００２６】
このような構成を有するアダプタ１０において、カードＡは、図６（ａ）に示すように、その前端部が挿入方向の前方側に突出した状態で装着される。また、カードＡの後端面は、アダプタ１０の後端面と同一面上に配置され、摘み部Ａ６が凹部１８に入り込んだ状態となっている。このようにカードＡの後端面と、アダプタ１０の後端面とを同一面上に配置することにより、ユーザにおける利用性を向上している。
【００２７】
また、図６（ｂ）に示すように、カードＡの側端部は、ガイド片１４により下方側から支持され、保持片１５により上方側から保持されている。このように保持片１５で上方側からカードＡを保持することにより、カードＡの上方側への移動を規制している。そして、カードＡの凹部Ａ５に板ばね１７の端部が入り込むことで、カードＡがアダプタ本体部１０ａ上で固定されている。このように板ばね１７の端部を凹部Ａ５に入り込ませることにより、アダプタ１０からカードＡが抜けるのを防止することが可能となる。
【００２８】
さらに、アダプタ１０において、カードＡは、その一部が上方側に突出した状態で収容部１３に収容されている。このようにカードＡの一部がアダプタ１０の表面から上方側に突出した状態で保持させることにより、コネクタ１に装着された場合に、カードＡにおける当該コネクタ１に設けられたカードＢ用のコンタクト端子の保持部等との干渉を防止することが可能となる。なお、アダプタ１０において、カードＡは、後端部に設けられた当接部Ａ８を最も後方側に位置するガイド片１４の後端部に当接させた状態で装着されている。このように当接部Ａ８を最も後方側に位置するガイド片１４の後端部に当接させることにより、アダプタ１０におけるカードＡの適切な位置決めを行っている。
【００２９】
ここで、本実施の形態に係るアダプタ１０が装着されるコネクタ１の構成について説明する。図７は、アダプタ１０が装着されるコネクタ１の外観を示す斜視図である。図８は、アダプタ１０が装着されるコネクタ１の分解斜視図である。なお、以下においては、適宜、図７に示す紙面上方側を「コネクタ１の前方側」又は単に「前方側」と呼び、同図に示す紙面下方側を「コネクタ１の後方側」又は単に「後方側」と呼ぶものとする。また、図７に示す紙面右方側を「コネクタ１の右方側」又は単に「右方側」と呼び、同図に示す紙面左方側を「コネクタ１の左方側」又は単に「左方側」と呼ぶものとする。
【００３０】
図７及び図８に示すように、本実施の形態に係るコネクタ１は、合成樹脂材料を成型して形成されるコンタクトハウジング２と、金属薄板材料に打ち抜き加工及び折り曲げ加工などを施して形成されるカバー部材３と、コネクタ１に装着されたカードＡ、Ｂ（カードＢは、アダプタ１０と一緒に）を排出する排出機構４とを備えている。
【００３１】
コンタクトハウジング２は、図７に示すように、コネクタ１の前方側端部に配置され、コネクタ１の側壁部の一部及び奥壁部を構成している。また、コンタクトハウジング２には、図８に示すように、カードＡの装着時に使用されるカードＡ用コンタクト２０１と，カードＢの装着時に使用されるカードＢ用コンタクト２０２とが設けられている。さらに、コンタクトハウジング２には、後述するカードＡの装着空間ＳＡの一部が形成されている。なお、このコンタクトハウジング２の構成については後述する。
【００３２】
カバー部材３は、コネクタ１の上面を構成する上面部３０１と、この上面部３０１の側端部から下方側に延出する側面部３０２とを有し、上面部３０１の前方側端部近傍において、コンタクトハウジング２に取り付けられる。そして、カバー部材３は、コンタクトハウジング２に取り付けられた状態において、搭載される機器（例えば、パーソナルコンピュータ）に固定される。これらの上面部３０１と、側面部３０２と、搭載される機器の被取付面との間にカードＡ、Ｂの装着空間が形成される。また、搭載される機器に固定された状態で、図７に示すように、コネクタ１の後方側端部にカード挿入口５が形成される。
【００３３】
上面部３０１における前方側端部近傍の所定位置には、後述する排出機構４のレバー部材４０２、４０３を回動可能に保持するための一対の保持部３０３が形成されている。これらの保持部３０３は、上面部３０１の一部をプレス加工することで形成され、上面部３０１の下面において下方側に突出する円環形状を有している。この円環形状部分にレバー部材４０２、４０３が回動可能に取り付けられる。
【００３４】
側面部３０２には、排出機構４を保持するための複数の爪部３０４と、アダプタ１０の段差部１１等に弾接する弾接部３０５と、コネクタ１の内側に僅かに延出し、アダプタ１等の側面を軽く押圧する弾性片３０６とを有している。側面部３０２の下端部は、コネクタ１の内側に折り曲げられており、アダプタ１０やカードＢの側方側端部の下面をガイドするガイド部３０７を形成している。さらに、側面部３０２よりもコネクタ１の前方側には、後述するコンタクトハウジング２の係合片２０９を収容する開口部が形成された一対の固定部３０８が設けられている。
【００３５】
排出機構４は、カバー部材３が有する右方側の側面部３０２に取り付けられるカード押出機構４０１と、カバー部材３の保持部３０３に取り付けられるレバー部材４０２、４０３とを有している。カード押出機構４０１は、コネクタ１の側面と同等の長さを有するベース部材４０１ａと、ベース部材４０１ａに取り付けられるカバー４０１ｂと、ベース部材４０１ａとカバー４０１ｂとの間の空間にその一部が収納される摘み部４０１ｃと、同じくベース部材４０１ａとカバー４０１ｂとの間の空間に収納され、摘み部４０１ｃに対する押圧操作に応じてレバー部材４０２を駆動する不図示の駆動機構とを有する。
【００３６】
摘み部４０１ｃは、コネクタ１の前後方向にスライド移動可能に構成され、その後方側端部がコネクタ１の後方側に突出している。駆動機構は、ベース部材４０１ａに形成されたガイド溝に係合する係合部材と、このガイド溝上における係合部材の位置に応じて前後方向及び上下方向に移動する当接片４０１ｅを有するカム部材とから構成される。当接片４０１ｅは、ベース部材４０１ａとカバー部材４０１ｂとの間に形成されるスリットから上方側に突出し、このスリット上に配置されるレバー部材４０２の係合部４０２ｂと当接する（図９参照）。
【００３７】
レバー部材４０２は、例えば、金属薄板材料で形成され、図８に示すように、コネクタ１の左右方向に延在する長尺の板状部材で構成される。レバー部材４０２は、平面部４０２ａと、この平面部４０２ａの右方側端部に設けられた係合部４０２ｂと、平面部４０２ａの左方側端部近傍から下方側に延出する回動規制部４０２ｃとを有している。平面部４０２ａの中央よりも僅かに左方側には、円形状の開口部４０２ｄが形成されている。カバー部材３の保持部３０３は、レバー部材４０２が回動可能な程度にこの開口部４０２ｄに圧入される。
【００３８】
レバー部材４０３は、レバー部材４０２と同様に、例えば、金属薄板材料で形成され、コンタクトハウジング２の半分程度の長さを有する板状部材で構成される。レバー部材４０３は、平面部４０３ａと、この平面部４０３ａの左方側端部で上方側に突出する突出片４０３ｂと、平面部４０３ａの右方側端部から下方側に延出する当接片４０３ｃとを有している。突出片４０３ｂは、レバー部材４０２の前端面と当接する。当接片４０３ｃは、レバー部材４０３の回動に応じてコネクタ１に装着されたカードＡ等の前端部に当接し、カードＡ等を後方側に押し出す。平面部４０３ａの中央よりも僅かに左方側には、円形状の開口部４０３ｄが形成されている。カバー部材３の保持部３０３は、レバー部材４０３が回動可能な程度にこの開口部４０３ｄに圧入される。
【００３９】
図９は、このような構成を有する排出機構４の構成の位置関係を説明するための斜視図である。なお、図９においては、説明の便宜上、コンタクトハウジング２も示している。図９に示すように、排出機構４のレバー部材４０２、４０３は、コンタクトハウジング２のカードＢ用コンタクト２０２の上方において、左右方向に並ぶように配置されている。レバー部材４０２の係合部４０２ｂは、カード押出機構４０１の当接片４０１ｅが当接可能な位置に配置されている。レバー部材４０２の回動規制部４０２ｃは、後述するコンタクトハウジング２における左方側の奥壁部２０３に対向配置され、レバー部材４０２の一定位置以上の回動を規制する。また、レバー部材４０３の当接片４０３ｃは、後述するコンタクトハウジング２における右方側の奥壁部２０３に対向配置される一方、コネクタ１に装着されるカードＢ等の前端部に対向配置される。なお、この排出機構４によるアダプタ１０等の排出動作については後述する。
【００４０】
ここで、本実施の形態に係るコネクタ１が有するコンタクトハウジング２の構成について説明する。図１０は、本実施の形態に係るコネクタ１が有するコンタクトハウジング２の斜視図である。図１１は、本実施の形態に係るコネクタ１が有するコンタクトハウジング２の上面図（同図（ａ））及び後面図（同図（ｂ））である。図１２は、図１１（ａ）に示す一点鎖線Ａにおけるコンタクトハウジング２の断面図である。なお、図１１においては一点鎖線Ａから右方側のコンタクトハウジング２を示したものであり、同図に示す左方側がコネクタ１の前方側に相当し、右方側がコネクタ１の後方側に相当する。
【００４１】
図１０及び図１１に示すように、コンタクトハウジング２においては、コネクタ１の奥壁部を構成する奥壁部２０３と、この奥壁部２０３の側方側端部からコネクタ１の後方側に延出し、コネクタ１の側壁部の一部を構成する側壁部２０４とを有している。奥壁部２０３の内壁（後方側の内壁）には、その中央にカードＢ用コンタクト２０２を保持する第１保持部２０５と、カードＡ用コンタクト２０１を保持する第２保持部２０６とが設けられている。図１０及び図１１（ａ）に示すように、第２保持部２０６は、第１保持部２０５よりもコネクタ１の前方側の位置に設けられると共に、図１０及び図１１（ｂ）に示すように、第１保持部２０５よりも上方側の位置に設けられている。
【００４２】
図１０及び図１１（ｂ）に示すように、カードＢ用コンタクト２０２は、第１保持部２０５において、上下２列でコネクタ１の左右方向に配列されている。カードＢ用コンタクト２０２は、ピン形状のコンタクト端子で構成されている。また、カードＢ用コンタクト２０２は、図１２に示すように、第１保持部２０５の前面部からコネクタ１の前方側に導出されている。
【００４３】
第１保持部２０５の中央部分であって上方には、カードＡを受け入れる開口部２０７が形成され、この開口部２０７の前方側には後述するカードＡの装着空間ＳＡの一部が形成されている。カードＡ用コンタクト２０１は、このカードＡの装着空間ＳＡの中央部分における第２保持部２０６に１列でコネクタ１の左右方向に配列されている。カードＡ用コンタクト２０１は、その前方側端部が第２保持部２０６に保持されると共に、その後方側端部が自由端を構成する、所謂、片持ち梁状のコンタクト端子で構成されている。また、カードＡ用コンタクト２０１は、図１２に示すように、第２保持部２０６の前面部からコネクタ１の前方側に導出されている。
【００４４】
このようなカードＡ用コンタクト２０１及びカードＢ用コンタクト２０２は、合成樹脂材料でコンタクトハウジング２の樹脂部分を形成した後に所定位置に設けられた複数の挿入孔に圧入される。なお、合成樹脂材料で形成された樹脂部分は、単一部材で構成されることから、コンタクトハウジング２において、カードＡ用コンタクト２０１と、カードＢ用コンタクト２０２とを一定の位置関係に配置することが可能となるので、位置調整を必要とすることなく、適切な位置にカードＡ用コンタクト２０１及びカードＢ用コンタクト２０２を配置することが可能となる。
【００４５】
なお、カードＡ用コンタクト２０１の周囲には、第２保持部２０６からコネクタ１の後方側に延出する保護板部２０８が配設されている。この保護板部２０８は、異なるカードの誤挿入に伴うカードＡ用コンタクト２０１の破損を防止するためのものである。なお、この保護板部２０８には、カードＡ用コンタクト２０１に対応する位置に複数のスリットが形成されている。カードＡ用コンタクト２０１は、これらのスリットを介してその後方側端部近傍が上方側に露出可能に構成されている。
【００４６】
側壁部２０４の外面には、図１０及び図１１（ａ）に示すように、その後方側端部近傍であって上端部にカバー部材３の固定部３０８に形成された開口部と係合する係合片２０９が設けられている。一方、側壁部２０４の内面であって、下方側部分には、図１０及び図１１（ｂ）に示すように、カードＢの溝部Ｂ５に入り込む一対の係合片２１０が設けられている（同図に示す右方側の側壁部２０４の係合片２１０は不図示：図１２参照）。これらの係合片２１０は、カードＢを所定位置にガイドするためのガイド部として機能すると共に、異なるカードの誤挿入に伴うカードＢ用コンタクト２０２の破損を防止する役割を果たすものである。
【００４７】
このような構成を有するコネクタ１に対して、本実施の形態に係るアダプタ１０がカードＡを装着した状態で装着される。一方、カードＢは、アダプタ１０を使用することなく、直接、コネクタ１に対して装着される。以下、コネクタ１に対してカードＡ、Ｂが装着された状態について説明する。ここでは、説明の便宜上、カードＢが装着された状態について先に説明する。
【００４８】
図１３は、カードＢが装着された状態のコネクタ１の斜視図である。図１４は、カードＡが装着されたアダプタ１０が装着された状態のコネクタ１の斜視図である。図１３に示すように、カードＢは、その後端部がカード挿入口５から後方側に僅かに突出した状態で装着される。なお、カードＢの後端面は、概して、排出機構４の摘み部４０１ｃの後端部と同一面上に配置されている。
【００４９】
一方、図１４に示すように、カードＡが装着されたアダプタ１０は、図１３に示すカードＢと同様に、その後端部がカード挿入口５から後方側に僅かに突出した状態で装着される。アダプタ１０に装着されたカードＡの後端部は、アダプタ１０の後端部と同一面上に配置されるため、カードＡもコネクタ１の後方側に僅かに突出した状態で装着されている。このとき、コネクタ１に装着された状態において、カードＡ、Ｂは、カード挿入口５から同一の長さだけ突出するものとなっている。
【００５０】
ここで、カードＡ、Ｂが装着されたコネクタ１の内部状態について説明する。図１５は、本実施の形態に係るコネクタ１の断面図である。図１６は、カードＡが装着されたアダプタ１０が装着された状態のコネクタ１の断面図である。図１７は、カードＢが装着された状態のコネクタ１の断面図である。なお、図１５〜図１７においては、コネクタ１の中央部分における断面から右方側を示している。また、図１５〜図１７においては、同図における左方側がコネクタ１の前方側に相当する。
【００５１】
図１５に示すように、コネクタ１の内部においては、概して、コンタクトハウジング２の第１保持部２０５の上面が形成する水平面と、カバー部材３の上面部３０１の下面が形成する水平面との間の空間にカードＡの装着空間ＳＡが設けられている。一方、概して、コンタクトハウジング２の保護板部２０８の上面が形成する水平面と、カバー部材３のガイド部３０７の上面が形成する水平面との間の空間にカードＢの装着空間ＳＢが設けられている。すなわち、カードＡの装着空間ＳＡと、カードＢの装着空間ＳＢとは、保護板部２０８の上面が形成する水平面と、第１保持部２０５の上面が形成する水平面との間で空間を共有している。
【００５２】
カードＡは、アダプタ１０に装着された状態で、装着空間ＳＡをコネクタ１の前方側に挿入され、図１６に示すように、前端部が第２保持部２０６の後方側端面に当接した位置で装着された状態となる。このとき、カードＡ用コンタクト２０１は、カードＡに設けられた接触パッドに下方側からに接触している。また、コンタクトハウジング２の第１保持部２０５の上面は、挿入されたカードＡの前方側端部近傍の下面を支持している。これにより、アダプタ１０から前方側に突出するカードＡの前端部近傍を下方側から支持し、カードＡの自重による負荷を軽減させている。
【００５３】
なお、この場合において、アダプタ１０は、装着空間ＳＢをコネクタ１の前方側に挿入され、第１保持部２０５の後方側端面に当接した位置で装着された状態となっている。また、装着された状態のアダプタ１０に対して、カバー部材３の弾接部３０５（図１６において不図示：図１５参照）が段差部１１に弾接し、弾性片３０６（図１６において不図示：図１５参照）が側面を軽く押圧することで、アダプタ１０がコネクタ１から抜けることが防止されている。このように装着された状態において、アダプタ１０は、その凹部１８でカードＢ用コンタクト２０２を収容している。このため、カードＢ用コンタクト２０２に影響を与えることなく、カードＡをコネクタ１の前方側に挿入することが可能となっている。
【００５４】
一方、カードＢは、装着空間ＳＢをコネクタ１の前方側に挿入され、図１７に示すように、前端部が第１保持部２０５の後方側端面に当接した位置で装着された状態となる。このとき、第１保持部２０５に保持されるカードＢ用コンタクト２０２は、カードＢの前端面に形成された収容穴Ｂ６（図１７において不図示）に収容されている。また、装着された状態のカードＢに対して、カバー部材３の弾接部３０５（図１６において不図示：図１５参照）が段差部Ｂ４に弾接し、弾性片３０６（図１６において不図示：図１５参照）が側面を軽く押圧することで、カードＢがコネクタ１から抜けることが防止されている。
【００５５】
このように本実施の形態に係るアダプタ１０によれば、コネクタ１に装着されるカードＢ用コンタクト２０２に接触しないアダプタ本体部１０ａにおいて、コネクタ１に対する挿入方向の前端部を突出させた状態でカードＡが保持されることから、カードＢ用コンタクト２０２と接触することなく、カードＡの前端部のみをカードＢの前端部よりもコネクタ１の内部側に配置することができるので、カードＢ用コンタクト２０２との干渉を防止しつつ、カードＡを適切な位置に装着することが可能となる。
【００５６】
特に、本実施の形態に係るアダプタ１０においては、カードＡが装着された状態でコネクタ１に装着された場合に、アダプタ本体部１０ａの前面に設けた凹部１８で、カードＢ用コンタクト２０２を収容するように構成されている。これにより、確実にカードＢ用コンタクト端子２０２との干渉を防止し、カードＢ用コンタクト２０２の損傷等を防止することが可能となる。
【００５７】
次に、コネクタ１に装着されたアダプタ１０を排出する場合の動作について説明する。なお、コネクタ１に装着されたカードＢを排出する場合の動作は、アダプタ１０を排出する場合の動作と同一の要領で行われるため、その説明を省略する。図１８〜図２１は、コネクタ１に装着されたアダプタ１０を排出する場合の動作を説明するための上面図である。なお、図１８〜図２１においては、説明の便宜上、カバー部材３を省略している。
【００５８】
図１８は、カードＡが装着されたアダプタ１０が装着された状態のコネクタ１について示している。この場合において、カード押出機構４０１の当接片４０１ｅは、レバー部材４０２の係合部４０２ｂの前方側に配置されている。また、レバー部材４０３の当接片４０３ｃは、コンタクトハウジング２と、アダプタ１０の前端部との間に挟まれる位置に配置されている。アダプタ１０を排出する際には、まず、図１８に示す状態のカード押出機構４０１から摘み部４０１ｃが後方側に引き出される。摘み部４０１ｃを引き出す際には、一度、摘み部４０１ｃを前方側に押し込むことでロック状態を解除した後に引き出される。
【００５９】
図１９は、図１８に示す状態のカード押出機構４０１から摘み部４０１ｃが後方側に引き出された状態のコネクタ１について示している。ロック状態から解除され、摘み部４０１ｃが後方側に引き出される際、カード押出機構４０１の当接片４０１ｅは、カード押出機構４０１の内部側を移動する。このため、当接片４０１ｅが係合部４０２ｂの当接することはない。そして、完全に引き出された状態で当接片４０１ｅは、再びカード押出機構４０１の表面が突出した状態となる。このとき、当接片４０１ｅは、係合部４０２ｂの後方側に配置されている。そして、この状態から摘み部４０１ｃが前方側に押し込まれる。
【００６０】
図２０は、図１９に示す状態のカード押出機構４０１から摘み部４０１ｃを前方側に押し込んだ状態のコネクタ１について示している。この場合、摘み部４０１ｃの移動に伴って当接片４０１ｅが前方側に移動し、係合部４０２ｂを前方側に押し出す。係合部４０２ｂが押し出されると、レバー部材４０２は、開口部４０２ｄの中心を支点として反時計回転方向に回動する。レバー部材４０２が回動すると、その前端面がレバー部材４０３の突出片４０３ｂを前方側に押し出す。突出片４０３ｂが押し出されると、レバー部材４０３は、開口部４０３ｄの中心を支点として時計回転方向に回動する。レバー部材４０３が回動すると、その当接片４０３ｃ（図２０において不図示、図１９参照）が後方側に移動し、装着されたアダプタ１０を後方側に押し出す。これにより、装着される状態のアアプタ１０が後方側に移動する。そして、この状態から摘み部４０１ｃが前方側に更に押し込まれる。
【００６１】
図２１は、図２０に示す状態のカード押出機構４０１から摘み部４０１ｃを前方側に更に押し込んだ状態のコネクタ１について示している。このように図２０に示す状態から更に摘み部４０１ｃを前方側に押し込むと、更に係合部４０２ｂが前方側に押し出される結果、更にレバー部材４０２及びレバー部材４０３が回動し、当接片４０３ｃが更にアダプタ１０を後方側に押し出す。この状態において、アダプタ１０は、装着されている状態に比べてコネクタ１から後方側に突出した状態となり、ユーザは、手でこれを抜き取ることが可能となる。
【００６２】
このようにしてコネクタ１に装着されたアダプタ１０が排出されることとなる。すなわち、本実施の形態に係るコネクタ１においては、装着されたカードＡの挿入方向の前端部、並びに、アダプタ１０の挿入方向の前端部に当接してカードＢ又はアダプタ１０を排出方向に移動させる当接片４０３ｃを有する排出機構４を備えている。このように装着されたカードＢ及びアダプタ１０を単一の排出機構４で排出可能に構成されているので、装置の部品点数を低減でき、装置を小型化することが可能となる。
【００６３】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００６４】
【図１】本発明の一実施の形態に係るアダプタに装着されるカードＡを後方側から示した斜視図（ａ）及びカードＡの前面図（ｂ）である。
【図２】上記実施の形態に係るアダプタに装着されるカードＡの上面図（ａ）、側面図（ｂ）及び下面図（ｃ）である。
【図３】上記実施の形態に係るアダプタで干渉が防止されるカードＢを後方側から示した斜視図（ａ）及びカードＢの前面図（ｂ）である。
【図４】上記実施の形態に係るアダプタを後方側から示した斜視図（ａ）及びアダプタの前面図（ｂ）である。
【図５】上記実施の形態に係るアダプタの上面図（ａ）、側面図（ｂ）及び下面図（ｃ）である。
【図６】上記実施の形態に係るアダプタにおいて、カードＡが装着された状態を後方側から示した斜視図（ａ）及び前面図（ｂ）である。
【図７】本実施の形態に係るアダプタが装着されるコネクタの外観を示す斜視図である。
【図８】上記実施の形態に係るアダプタが装着されるコネクタの分解斜視図である。
【図９】上記実施の形態に係るアダプタが装着されるコネクタが有する排出機構の構成の位置関係を説明するための斜視図である。
【図１０】上記実施の形態に係るアダプタが装着されるコネクタが有するコンタクトハウジングの斜視図である。
【図１１】上記実施の形態に係るアダプタが装着されるコネクタが有するコンタクトハウジングの上面図（ａ）及び後面図（ｂ）である。
【図１２】図１１（ａ）に示す一点鎖線Ａにおけるコンタクトハウジングの断面図である。
【図１３】上記実施の形態に係るコネクタにカードＢが装着された状態の斜視図である。
【図１４】上記実施の形態に係るコネクタにカードＡが装着されたアダプタが装着された状態の斜視図である。
【図１５】上記実施の形態に係るコネクタの断面図である。
【図１６】上記実施の形態に係るコネクタにカードＡが装着されたアダプタが装着された状態の断面図である。
【図１７】上記実施の形態に係るコネクタにカードＢが装着された状態の断面図である。
【図１８】上記実施の形態に係るコネクタに装着されたアダプタを排出する場合の動作を説明するための上面図である。
【図１９】上記実施の形態に係るコネクタに装着されたアダプタを排出する場合の動作を説明するための上面図である。
【図２０】上記実施の形態に係るコネクタに装着されたアダプタを排出する場合の動作を説明するための上面図である。
【図２１】上記実施の形態に係るコネクタに装着されたアダプタを排出する場合の動作を説明するための上面図である。
【符号の説明】
【００６５】
１  カード用コネクタ（コネクタ）
２  コンタクトハウジング
２０１  カードＡ用コンタクト
２０２  カードＢ用コンタクト
２０３  奥壁部
２０４  側壁部
２０５  第１保持部
２０６  第２保持部
２０７  開口部
２０８  保護板部
２０９  係合片
２１０  係合片
３  カバー部材
３０１  上面部
３０２  側面部
３０３  保持部
３０４  爪部
３０５  弾接部
３０６  弾性片
３０７  ガイド部
３０８  固定部
４  排出機構
４０１  カード押出機構
４０１ａ  ベース部材
４０１ｂ  カバー
４０１ｃ  摘み部
４０１ｄ  駆動機構
４０１ｅ  当接片
４０２  レバー部材
４０２ａ  平面部
４０２ｂ  係合部
４０２ｃ  回動規制部
４０２ｄ  開口部
４０３  レバー部材
４０３ａ  平面部
４０３ｂ  突出片
４０３ｃ  当接片
４０３ｄ  開口部
５  カード挿入口
１０  アダプタ（カード用アダプタ）
１１  段差部
１２  溝
１３  収容部
１４  ガイド片
１５  保持片
１６  凹部
１７  板ばね
１８  凹部
１９  凹部
ＳＡ  カードＡの装着空間
ＳＢ  カードＢの装着空間
【図１】
2009181790.tif 000003
【図２】
2009181790.tif 000004
【図３】
2009181790.tif 000005
【図４】
2009181790.tif 000006
【図５】
2009181790.tif 000007
【図６】
2009181790.tif 000008
【図７】
2009181790.tif 000009
【図８】
2009181790.tif 000010
【図９】
2009181790.tif 000011
【図１０】
2009181790.tif 000012
【図１１】
2009181790.tif 000013
【図１２】
2009181790.tif 000014
【図１３】
2009181790.tif 000015
【図１４】
2009181790.tif 000016
【図１５】
2009181790.tif 000017
【図１６】
2009181790.tif 000018
【図１７】
2009181790.tif 000019
【図１８】
2009181790.tif 000020
【図１９】
2009181790.tif 000021
【図２０】
2009181790.tif 000022
【図２１】
2009181790.tif 000023